(57)【特許請求の範囲】
【請求項１】
感光ドラムを帯電させた状態で回転させながら、レーザ光発生器から投射したレーザ光を回転するポリゴンミラーにより主走査させて感光ドラムの表面に静電潜像を形成し、その静電潜像に付着させたトナーを記録媒体に転写することで記録する画像記録装置において、
前記レーザ光の主走査方向の走査範囲の長さを基準長さに対して増加又は減少方向へ調整する為の調整量を入力する為の入力手段と、
前記入力手段から入力された調整量に基づいて、ポリゴンミラーを回転駆動するポリゴンモータの回転速度をその基準回転速度に対して増加または減少方向に調整する第１調整手段と、
前記入力手段から入力された調整量に基づいて、感光ドラムを回転駆動する駆動モータの回転速度をその基準回転速度に対して増加または減少方向に調整する第２調整手段と、
を備えたことを特徴とする画像記録装置。
【請求項２】
前記入力手段から入力設定された調整量を記憶するメモリを備えたことを特徴とする請求項１に記載の画像記録装置。
【発明の詳細な説明】
【０００１】
【発明の属する技術分野】
本発明は、画像記録装置に関し、特にレーザ光発生器により出射されたレーザ光をポリゴンミラーにより主走査したときの感光ドラム上における主走査方向の走査範囲の長さの調整に連動させて、感光ドラムの回転速度、つまり副走査方向の用紙送り精度も調整できるようにしたものに関する。
【０００２】
【従来の技術】
従来、ページプリンタやファクシミリ装置や複写機などの画像記録装置においては、高速記録が可能で、画像が綺麗なレーザプリンタを用いたものが一般に普及している。このレーザプリンタは、レーザスキャナユニットや感光ドラムに加えて、熱定着機構などを備え、１頁毎に画像記録するようになっている。即ち、供給された画像データやイメージデータについてドットイメージデータに展開処理し、そのドットイメージデータに基づいて半導体レーザ発生器で出射されたレーザ光を、回転させたポリゴンミラーで走査しながら感光ドラムの表面に露光して静電潜像を形成し、その静電潜像に付着させたトナー画像を記録用紙に転写することで記録するようになっている。
【０００３】
ところで、このレーザプリンタにおいては、感光ドラムを帯電させた状態で回転させながら、レーザ光を回転するポリゴンミラーで主走査することで、感光ドラム上に静電潜像を形成することから、例えば、ページプリンタやファクシミリ装置を製造して出荷するメーカーにおいては、Ａ４版やＢ５版などのカット用紙の大きさに応じて、所定の大きさの記録領域や用紙送り精度が得られるように、レーザ光の主走査方向の走査範囲の長さ調整を行い、更に感光ドラムの回転速度調整を行なうようにしている。
【０００４】
即ち、レーザ光発生器の取付け位置誤差や、レーザ光投射経路の途中に設けられた複数の反射ミラーの取付け位置誤差、或いはポリゴンミラーの製作誤差等により、レーザ光発生器から感光ドラムの所定位置（例えば、感光ドラムの左右方向の中央位置）までのレーザ光投射距離が所定の基準長さに対して微妙に異なることから、感光ドラム上の主走査方向の走査範囲の長さは、基準走査範囲長さに対して、長くなったり或いは短くなったりする。この場合には、一般的には、ポリゴンモータはＤＣモータ（直流モータ）であることから、このポリゴンモータの駆動回路に設けられた速度調整用ボリュウムで駆動電圧を調整して、ポリゴンモータの回転速度を増加又は減少させることで、走査範囲の長さを基準長さとなるように調整するようにしている。
【０００５】
更に、感光ドラムの回転は、用紙を搬送する複数の搬送ローラとともに、ステッピングモータからなる用紙送りモータで同期回転駆動されることから、この用紙送りモータの駆動回路に設けられた速度調整用ボリュウムで駆動パルスのパルス周期を調整して、用紙送りモータの回転速度を増加又は減少させることで、副走査方向の送り精度、つまり用紙送り精度を調整するようにしている。
一方、ページプリンタやファクシミリ装置を長期に亙って使用している間に、レーザ光の主走査方向の走査範囲の長さが基準長さに対して増加又は減少するときには、サービスマンは、所定のテストパターンを用紙に記録することで、走査範囲の長さの誤差を求め、その誤差を解消するように、ポリゴンモータの回転速度を調整し、この調整により走査速度が増加又は減少することから送り精度に誤差が生じるので、最終的に用紙送りモータの回転速度を調整して用紙送り精度を調整するようにしている。
【０００６】
【発明が解決しようとする課題】
前述したように、レーザプリンタを備えた画像記録装置においては、感光ドラム表面におけるレーザ光の主走査方向の走査範囲の長さが基準長さに対して増加又は減少しているときには、テストパターンを記録するなどしてその長さ誤差を求め、その誤差を解消するように、ポリゴンモータの回転速度を調整し、更にその誤差調整により副走査方向の送り精度である用紙の送り精度が変化することから、用紙送りモータの回転速度を繰り返して調整することで、その用紙送り精度を調整するので、走査範囲の長さを調整する調整作業が煩雑化すること、多大の作業時間を要すること、などの問題がある。
本発明の目的は、感光ドラム上におけるレーザ光の主走査範囲の長さを調整する調整作業の簡単化を図れるような画像記録装置を提供することである。
【０００７】
【課題を解決するための手段】
請求項１の画像記録装置は、感光ドラムを帯電させた状態で回転させながら、レーザ光発生器から投射したレーザ光を回転するポリゴンミラーにより主走査させて感光ドラムの表面に静電潜像を形成し、その静電潜像に付着させたトナーを記録媒体に転写することで記録する画像記録装置において、レーザ光の主走査方向の走査範囲の長さを基準長さに対して増加又は減少方向へ調整する為の調整量を入力する為の入力手段と、入力手段から入力された調整量に基づいて、ポリゴンミラーを回転駆動するポリゴンモータの回転速度をその基準回転速度に対して増加または減少方向に調整する第１調整手段と、入力手段から入力された調整量に基づいて、感光ドラムを回転駆動する駆動モータの回転速度をその基準回転速度に対して増加または減少方向に調整する第２調整手段とを備えたものである。
【０００８】
テストパターンを記録させるなどして、記録媒体に記録されたテトス画像に基づいて、基準長さに対するレーザ光の主走査方向の走査範囲の長さの誤差を測定により求め、その長さ誤差の基準長さに対する割合を、例えば百分率に換算して調整量として入力手段を介して入力する。第１調整手段は、入力手段から入力された調整量に基づいて、ポリゴンミラーを回転駆動するポリゴンモータの回転速度を、その基準回転速度に対して増加または減少方向に調整する。更に、第２調整手段は、入力手段から入力された調整量に基づいて、感光ドラムを回転駆動する駆動モータの回転速度を、その基準回転速度に対して増加または減少方向に調整する。
【０００９】
即ち、レーザ光の主走査方向の走査範囲の長さを基準長さに対して増加又は減少方向へ調整する為の調整量を入力するだけで、ポリゴンミラーを回転駆動するポリゴンモータの回転速度が、その調整量に基づいて、基準回転速度に対して増加または減少方向に調整され、更に感光ドラムを回転駆動する駆動モータの回転速度が、その調整量に基づいて、基準回転速度に対して増加または減少方向に調整されるので、感光ドラム上におけるレーザ光の主走査範囲の長さを調整する調整作業の簡単化が図れる。
【００１０】
請求項２の画像記録装置は、請求項１の発明において、前記入力手段から入力設定された調整量を記憶するメモリを備えたものである。
この場合には、入力手段から入力設定された調整量はメモリに記憶されるので、同様の調整量については、その都度入力しなくてもよいので、入力操作を簡単化することができる。その他、請求項１と同様の作用を奏する。
【００１１】
【発明の実施の形態】
以下、本発明の実施の形態について図面を参照して説明する。
本実施形態は、レーザプリンタやイメージスキャナを備え、受信したファクシミリデータを記録し、原稿のイメージ情報を送信するなどの通常のファクシミリ機能を実現できるとともに、電話機能やサウンド機能などを有し、接続ケーブルを介してパーソナルコンピュータを接続したマルチファンクション装置１（画像記録装置に相当する）に本発明を適用した場合のものである。
【００１２】
先ず、レーザプリンタ３について、図１に基づいて説明する。
本体ケース２内には、画像記録に供する定型カット用紙４を給紙するフィーダユニット１０と、レーザスキャナユニット２０と、感光ドラム２９などが設けられている。
【００１３】
最初に、フィーダユニット１０について簡単に説明すると、本体ケース２の後端部の上部のフィーダ部ケース２ａ内には、圧縮バネ１２により上側に弾性付勢された用紙押圧板１１が配設されるとともに、その用紙押圧板１１を跨ぐように、定形カット紙からなる用紙４を複数枚収容した給紙カセット１３が傾斜状に着脱自在に装着され、給紙ローラ１４が図示外の駆動機構により、所定の給紙タイミングで回転駆動され、給紙カセット１３に収容された用紙４が１枚ずつ、給紙ローラ１４の半径拡大部分による所定量の送り込みにより給紙され、１対のレジストローラ１５により、その給紙された用紙４の先端がレジストされる。
【００１４】
感光ドラム２９は、円筒状でアルミ製の円筒スリーブの外周部に、ポリカーボネートに光導電性樹脂を分散させた所定厚さ（例えば、約２０μｍ）の光導電層を形成した中空状のものであり、本体ケース２に回転自在に枢支されている。即ち、感光ドラム２９上に形成されたプラス極性の静電潜像に対して、プラス極性に帯電したトナー５を反転現像方式で現像するように構成されている。
【００１５】
レーザスキャナユニット２０は、感光ドラム２９の下側に配設され、感光ドラム２９上に静電潜像を形成する為のレーザ光ＬＳを発生する半導体レーザ発光器２１（レーザ光発生器に相当する）、回転駆動されるポリゴンミラー（５面体ミラー）２２、１対のレンズ２３，２４、１対の反射ミラー２５，２６などから構成され、感光ドラム２９を図示の回転方向へ回転駆動しながら、半導体レーザ発光器２１から出射したレーザ光ＬＳをポリゴンミラー２２の所定回転方向への回転により主走査することで、これらレンズ２３，２４及び反射ミラー２５，２６により感光ドラム２９上に静電潜像を形成することができる。
【００１６】
一方、感光ドラム２９上のレーザ光ＬＳが照射される位置よりも、回転方向進角側の位置には、感光ドラム２９の表面を均一に帯電処理する為に、タングステンなどからなる帯電用ワイヤからコロナ放電を発生させるスコロトロン型の帯電器２７が設けられ、その帯電器２７よりも更に回転方向進角側の位置には、感光ドラム２９の表面の帯電を除電する除電ランプ２８が設けられている。
【００１７】
現像部ケース２ｃには、回転駆動されるアジテータ３１と、電気絶縁性を有する絶縁性のトナー５とを収容した２重円筒状のトナーボックス３０が着脱可能に装着され、そのトナーボックス３０の前側には、トナーボックス３０に形成されたトナー供給口を介してアジテータ３１の回転により供給されたトナー５を収容するトナー貯蔵室３２が形成され、そのトナー貯蔵室３２には、供給ローラ３３が回転可能に枢支され、更にそのトナー貯蔵室３２の前側を仕切るように且つ供給ローラ３３と感光ドラム２９とに夫々接するように、現像ローラ３４が回転可能に枢支されている。
【００１８】
ここで、前記トナー５は、その粒径を７〜１０μｍとする合成樹脂製であり、また供給ローラ３３と現像ローラ３４とは、導電性を有するゴム製である。
一方、現像部ケース２ｃには、ステンレス製またはリン青銅製の薄い板状の弾性を有する層厚規制ブレード３５が下向きに取り付けられ、その下端部に形成された屈曲部が現像ローラ３４に押圧状に接触しており、供給ローラ３３から供給されて現像ローラ３４の表面に層状に付着したトナー５の層厚が、この層厚規制ブレード３５で規制される。
【００１９】
そして、感光ドラム２９、供給ローラ３３、現像ローラ３４などが駆動機構により夫々所定回転方向に駆動されるので、トナー５の各トナー粒子は、供給ローラ３３と現像ローラ３４との擦り付けにより、また層厚規制ブレード３５の現像ローラ３４への押圧摩擦によりプラス極性に帯電され、このプラス極性に帯電したトナー５が、レーザ光ＬＳにより感光ドラム２９上に形成された静電潜像に付着して、反転現像方式で現像される。
【００２０】
次に、導電性を有するゴム製の転写ローラ３６は、感光ドラム２９の上側に接するように設けられて回転自在に枢支され、感光ドラム２９上のトナー画像がこの転写ローラ３６により、用紙４に確実に転写されるようになっている。
定着ユニット４０は、感光ドラム２９よりも搬送方向下流側に設けられ、ハロゲンランプなどの定着ヒータ４１を内蔵した加熱用ローラ４２と押圧ローラ４３とからなり、用紙４の下面に転写されたトナー画像が押圧と同時に加熱されて用紙４に定着される。
【００２１】
次に、原稿７の画像を読み取るイメージスキャナ４５について、簡単に説明する。
前記本体ケース２の前側の上部には、液晶ディスプレイ６ａや、テンキーなどのキー及び各種の機能キーが設けられたキーボード６ｂを有する操作パネル６が設けられ、その操作パネル６の下側に、原稿７に記録されている画像を読み取るイメージスキャナ４５が設けられている。
イメージスキャナ４５においては、図示外の原稿搬送機構により原稿７が原稿受け４６に沿って所定の読取り位置まで搬送されると、図示外の光源により原稿７に光が照射され、原稿７からの反射光をミラー４７，４８により反射させ、複数個のＣＣＤ（電荷結合素子）を配列した受光素子からなる読取りヘッド４９に受光させて、原稿７上の画像を１ラインずつ読み取るようになっている。
【００２２】
次に、マルチファンクション装置１の制御系について、図２に基づいて説明する。
基本的には、制御部５０を有するコントロールユニット６０と、このコントロールユニット６０に接続された操作パネル６と、レーザプリンタ３と、イメージスキャナ４５と、音声等のサウンドを出力するスピーカ７０などから構成されている。
【００２３】
前記制御部５０は、基本的に、ＣＰＵ５１と、このＣＰＵ５１にデータバスなどを含むコモンバス５６で接続されたＲＯＭ５２と、ＥＥＰＲＯＭ（電気的に消去して書換え可能なＲＯＭ）５３と、ＲＡＭ５４と、ＤＭＡコントローラ５５などで構成されている。また、コモンバス５６には、イメージ情報の短縮（圧縮）化の為に符号化する符号化部及び符号化により短縮されている通信データを復号化する復号化部を有するＣＯＤＥＣ６１と、ハードロジック回路からなる入出力用ＡＳＩＣ（アプリケーション・スペシフィック・インテグレーテッド・サーキット）６２とが接続されている。
【００２４】
更に、コモンバス５６には、スピーカ７０を駆動する音声増幅器（ＡＭＰ）６３と、音声などのサウンドデータにも対応可能なファクシミリ通信用のモデム６４と、バッファ６６と、パーソナルコンピュータ９に接続ケーブルＬを介して接続されたセントロニクス対応の通信用インターフェース（通信用Ｉ／Ｆ）６７とが夫々接続されている。
【００２５】
また、モデム６４には、電話回線８及びハンドセット７１に接続されたＮＣＵ（ネットワーク・コントロール・ユニット）６５が接続されている。更に、入出力用ＡＳＩＣ６２には、複数の文字や記号を表示可能なディスプレイ６ａとキーボード６ｂとを有する操作パネル６と、レーザプリンタ３とが接続されるとともに、ＤＲＡＭ（ダイナミックＲＡＭ）６８を介してイメージスキャナ４５が接続されている。即ち、ＤＲＡＭ６８には、イメージスキャナ４５で読み込まれた２〜３ドットライン分のドットデータがイメージ情報として一時的に記憶されるとともに、そのイメージ情報は入出力用ＡＳＩＣ６２により読み出される。
【００２６】
レーザプリンタ３においては、図３に示すように、ポリゴンミラー２２を回転駆動するポリゴンモータ８０（直流モータで構成されている）、給紙ローラ１４やレジストローラ１５や感光ドラム２９や図示外の搬送ローラなどを駆動する用紙送りモータ８１（駆動モータに相当し、ステッピングモータで構成されている）、半導体レーザ発光器２１、定着ヒータ４１、給紙ローラ１４の回転駆動を開始させる為の給紙用ソレノイド８２、帯電器２７、除電ランプ２８などは入出力用ＡＳＩＣ６２からの駆動信号で駆動される。
【００２７】
前記ＲＯＭ５２には、レーザプリンタ３又はイメージスキャナ４５を作動させてイメージ情報を電話回線８を介して外部のファクシミリ装置（図示略）に対して送受信制御するとともに、記録制御及び画像読込み制御するファクシミリ機能を実現する制御プログラム、イメージスキャナ４５で読み込んだ原稿７のイメージ情報を記録するコピー機能を実現する制御プログラム、パーソナルコンピュータ９から受信したプリントデータを記録するプリンタ機能を実現する制御プログラム、イメージスキャナ４５で読み込んだ原稿７のイメージ情報をパーソナルコンピュータ９に送信するイメージリーダ機能を実現する制御プログラムが格納されている。
【００２８】
更に、ＲＯＭ５２には、受信したファクシミリデータをＲＡＭ５４の受信データメモリ５４ａに一時的に格納する受信制御プログラム、電話回線８を介して相手側に対して音声信号を送受信する電話機能を実現する制御プログラム、電話回線８を介して受信したサウンド情報をスピーカ７０に出力するサウンド機能を実現する制御プログラム、ポリゴンモータ８０の基準回転速度ＶＰのデータと、感光ドラム２９を駆動する用紙送りモータ８１の基準回転速度ＶＫのデータと、感光ドラム２９上に走査領域を記録するなどのテストパターンのデータ、後述する調整制御の制御プログラム等が格納されている。
【００２９】
ここで、このマルチファンクション装置１においては、前記ＣＰＵ５１は、それに接続されているクロックからのクロック信号をハード的にカウントする時分割用割込みタイマ（内蔵タイマ）による時分割割り込みを受け付け可能になっている。そして、例えば、ファクシミリ機能のうちのファクシミリデータ送信制御プログラムとプリンタ機能の制御プログラムとを並行処理するなど、複数組の制御プログラムを並行処理する場合には、ＣＰＵ５１が例えば、約１／６０秒（約１６ｍｓｅｃ）の時分割割り込みを受け付ける毎に、これら複数組の制御プログラムをその割当てられた約１／６０秒毎に時分割方式で順次切換えながら並行処理することにより、複数の機能を同時に実現できるようになっている。
【００３０】
前記ＥＥＰＲＯＭ５３には、ファクシミリ機能を実現するときの各種の設定モード、プリンタ機能を実現するときの印字位置や印字濃度に関する各種の設定データが変更可能に記憶されるとともに、複数の送信先の電話番号などが記憶されている。更に、ＥＥＰＲＯＭ５３の調整量メモリ５３ａには、入力設定された調整量のデータが格納される。
前記ＲＡＭ５４には、受信したファクシミリデータを格納する受信データメモリ５４ａや印字データやサウンド情報などを一時的に格納するメモリや、ファクシミリ機能やコピー機能などの複数の機能を実現する制御プログラムの実行に必要な各種のメモリやバッファなどが設けられている。
【００３１】
次に、マルチファンクション装置１の制御部５０で行なわれる調整制御のルーチンについて、図４のフローチャートに基づいて説明する。尚、以降に説明するフローチャートの符号Ｓｉ（ｉ＝１０、１１、１２・・・）は各ステップである。
先ず、キーボード６ｂに設けられた、テストパターンを記録するサービス用プリントキーが操作されることにより、ＲＯＭ５２からテストパターンのデータが読み出されて記録処理され、Ａ４版のカット用紙４に、例えば、Ａ４用の走査領域の外形を示す矩形枠の画像が記録される（Ｓ１０）。この画像記録に際しては、ポリゴンモータ８０は基準回転速度ＶＰに基づく駆動電圧で回転駆動されるとともに、感光ドラム２９は用紙送りモータ８１の基準回転速度ＶＫに基づく駆動パルス周期で回転駆動される。
【００３２】
そして、その記録された走査領域の外形を示す矩形枠画像に基づいて、投射されたレーザ光の主走査方向の走査範囲の長さが測定される（Ｓ１１）。次に、その測定した走査範囲の長さの基準長さ（例えば、主走査方向の解像度を８ｄｏｔ／ｍｍとして、１走査を２００ｂｙｔｅのデータで印字した場合、約２００ｍｍ）に対する誤差が求められるとともに、基準長さに対するその誤差の割合が百分率で求められ、その誤差の割合が調整量ＡＤとして、キーボード６ｂから入力設定され、調整値メモリ５３ａに格納される（Ｓ１２）。例えば、測定した走査範囲の長さが「２０２ｍｍ」のときには、調整量ＡＤとして「＋１％」が入力される。
【００３３】
これにより、ポリゴンモータ８０の調整後の回転速度Ｖ１として、基準回転速度ＶＰを用いて図示の演算式に基づいて求められる（Ｓ１３）。次に、その調整後の回転速度Ｖ１が調整量メモリ５３ａに格納されるとともに、ポリゴンモータ８０は、その回転速度Ｖ１に基づく駆動電圧に調整されて回転駆動される（Ｓ１４）。ここで、このＳ１４が第１調整手段に相当する。
次に、感光ドラム２９の調整後の回転速度Ｖ２として、基準回転速度ＶＫを用いて図示の演算式に基づいて求められる（Ｓ１５）。
【００３４】
次に、その調整後の回転速度Ｖ２が調整量メモリ５３ａに格納されるとともに、用紙送りモータ８１は、その回転速度Ｖ２に基づく駆動パルス周期に調整されて回転駆動される（Ｓ１６）。ここで、このＳ１６が第２調整手段に相当する。
即ち、基準長さに対する走査範囲の実際の長さの誤差の割合を調整量ＡＤとして入力するだけで、その調整量ＡＤに基づいて、ポリゴンモータ８０の回転速度Ｖ１をその基準回転速度ＶＰに対して増加又は減少方向に調整できるとともに、これと同時に、感光ドラム２９の回転速度Ｖ２をその基準回転速度ＶＫに対して減少又は増加の方向に調整することができる。
【００３５】
以上説明したように、感光ドラム２９を帯電させた状態で回転させながら、半導体レーザ発光器２１から投射したレーザ光ＬＳを回転するポリゴンミラー２２により主走査させて感光ドラム２９の表面に静電潜像を形成し、その静電潜像に付着させたトナー５を用紙４に転写することで記録するマルチファンクション装置１において、レーザ光ＬＳの主走査方向の走査範囲の長さを基準長さに対して増加又は減少方向へ調整する為の調整量ＡＤをキーボード６ｂを介して入力するだけで、ポリゴンモータ８０の回転速度Ｖ１が、その調整量ＡＤに基づいて、基準回転速度ＶＰに対して増加または減少方向に調整され、更に感光ドラム２９を回転駆動する用紙送りモータ８１の回転速度Ｖ２が、その調整量ＡＤに基づいて、基準回転速度ＶＫに対して増加または減少方向に調整されるので、感光ドラム２９上におけるレーザ光ＬＳの主走査範囲の長さを調整する調整作業の簡単化が図れる。
【００３６】
更に、ＥＥＰＲＯＭ５３に調整量メモリ５３ａを設け、キーボード６ｂから入力設定された調整量ＡＤをこの調整量メモリ５３ａに記憶するようにしたので、同様の調整量ＡＤについては、調整するその都度入力しなくてもよいので、入力操作を簡単化することができる。
【００３７】
ここで、前記実施形態の変更態様として、テストパターンを用いてＡ４用の矩形枠画像を用紙４に記録する一方、その用紙４を原稿７としてイメージスキャナ４５で読みとるようにし、読み取られた矩形枠画像に基づいて調整量ＡＤを画像処理により求めて設定するように構成してもよい。また、パーソナルコンピュータ９としては、通信機能を装備したノート型やラップトップ型の携帯用のものであってもよく、複数台のパーソナルコンピュータ９を接続するようにしてもよい。更に、電話機能やファクシミリ機能や留守番電話機能などの複数機能を実現可能で、赤外光又は赤色系の可視光を発する多数の発光ダイオード素子を直線状に配列したＬＥＤアレイで感光ドラムや感光ベルト上に静電潜像を形成するようにした記録機構を備え、各種のネットワークに接続されたマルチファンクション装置、更には複写機やファクシミリ装置などの種々の画像記録装置に本発明を適用するようにしてもよい。
【００３８】
【発明の効果】
請求項１の画像記録装置によれば、感光ドラムを帯電させた状態で回転させながら、レーザ光発生器から投射したレーザ光を回転するポリゴンミラーにより主走査させて感光ドラムの表面に静電潜像を形成し、その静電潜像に付着させたトナーを記録媒体に転写することで記録する画像記録装置において、調整量を入力する為の入力手段と、第１調整手段と、第２調整手段とを設け、レーザ光の主走査方向の走査範囲の長さを基準長さに対して増加又は減少方向へ調整する為の調整量を入力するだけで、ポリゴンミラーを回転駆動するポリゴンモータの回転速度が、その調整量に基づいて、基準回転速度に対して増加または減少方向に調整され、更に感光ドラムを回転駆動する駆動モータの回転速度が、その調整量に基づいて、基準回転速度に対して増加または減少方向に調整されるので、感光ドラム上におけるレーザ光の主走査範囲の長さを調整する調整作業の簡単化が図れる。
【００３９】
請求項２の画像記録装置によれば、請求項１と同様の効果を奏するが、前記入力手段から入力設定された調整量を記憶するメモリを備えたので、入力手段から入力設定された調整量はメモリに記憶されるので、同様の調整量については、その都度入力しなくてもよいので、入力操作を簡単化することができる。
【図面の簡単な説明】
【図１】本発明の実施形態に係るマルチファンクション装置の縦断側面図である。
【図２】マルチファンクション装置の制御系のブロック図である。
【図３】レーザプリンタの制御系のブロック図である。
【図４】調整制御のルーチンの概略フローチャートである。
【符号の説明】
１    マルチファンクション装置
４    用紙
６ｂ    キーボード
２０    レーザスキャナユニット
２１    半導体レーザ発光器
２９    感光ドラム
５０    制御部
５１    ＣＰＵ
５２    ＲＯＭ
５３ａ    調整量メモリ
５４    ＲＡＭ
２２    ポリゴンミラー
８０    ポリゴンモータ
８１    用紙送りモータ
【図１】
0003552432.tif 000002
【図２】
0003552432.tif 000003
【図３】
0003552432.tif 000004
【図４】
0003552432.tif 000005